(57)【要約】【課題】  筺体の開閉検知構造において、電子部品として機能するセンサホルダーの機能破壊を防止する。【解決手段】  アッパーケース４に設けられたサブ電子回路基板１７に実装された電子部品として機能するセンサホルダー２２は、一対の腕部１９，２０と連結部２１とによって断面コ字状に形成されている。腕部１９に設けた投光器２３から投光された光２５は、腕部２０の孔２０ａに設けた受光器２４に受光される。ロアーケース３に取り付けられた電池箱８に一体に設けられた遮光部材２６は、投光器２３と受光器２４との間を進退する遮光部２７とサブ電子回路基板１７に対向するストッパ２８とを備えている。アッパーケース４によってロアーケース３の開口を閉じたときに、ストッパ２８とサブ電子回路基板１７との間隔Ｄ１を、遮光部２７とセンサホルダー２２の連結部２１との間隔Ｄ２よりも狭く設定している。【選択図】  図５
2008251416.tif 000002
【特許請求の範囲】
【請求項１】
開口を有する第１のケースと、この第１のケースの開口を開閉する第２のケースと、前記両ケースの一方に投光器と受光器とからなる光電センサを設け、他方のケースに投光器と受光器との間を進退する遮光部材を設けた筺体の開閉検知構造において、
前記光電センサは投光器と受光器とを保持する断面コ字状で電子部品として機能するセンサホルダーを備え、前記遮光部材に、第２のケースによって第１のケースの開口を閉じることにより、前記センサホルダーを支持する支持部材に対向するストッパを設け、このストッパと支持部材との間隔が遮光部材と前記センサホルダーとの間隔よりも狭くしたことを特徴とする筺体の開閉検知構造。
【請求項２】
前記遮光部材を前記第１または第２のケースに実装した実装部品に一体に設けたことを特徴とする請求項１記載の筺体の開閉検知構造。
【発明の詳細な説明】
【技術分野】
【０００１】
本発明は、開口を有する第１のケースと、この第１のケースの開口を開閉する第２のケースと、第１のケースの開口の開閉状態を検知する光電センサとを備えた筺体の開閉検知構造に関するものである。
【背景技術】
【０００２】
この種の光電センサとしては、投光器と受光器とを保持する断面コ字状に形成されたセンサホルダーと、投光器と受光器との間を進退する遮光板とによって構成されたものがある（例えば、特許文献１参照）。この光電センサを筺体の開閉検知構造に適用する場合は、センサホルダーを第１のケース側に設け、遮光板を第２のケース側に設ける。このような構成において、投光器から投光された光が受光器で受光された場合は、第１のケースの開口が開放されていることが検知され、一方、投光器から投光された光が受光器で受光されない場合は、第１のケースの開口が閉じられていることが検知される。
【特許文献１】特開平９−２４７３５１号公報
【発明の開示】
【発明が解決しようとする課題】
【０００３】
上述した従来の筺体の開閉検知構造においては、第１のケースの開口を第２のケースによって閉じる際に強い力で閉じたり、閉じた後に誤って強い力で第１のケースを押圧すると遮光板がセンサホルダーに圧接し、電子部品として機能するセンサホルダーの機能を破損してしまうおそれがあった。
【０００４】
本発明は上記した従来の問題に鑑みなされたものであり、その目的とするところは、電子部品として機能するセンサホルダーの機能破壊を防止した筺体の開閉検知構造を提供するところにある。
【課題を解決するための手段】
【０００５】
この目的を達成するために、請求項１に係る発明は、開口を有する第１のケースと、この第１のケースの開口を開閉する第２のケースと、前記両ケースの一方に投光器と受光器とからなる光電センサを設け、他方のケースに投光器と受光器との間を進退する遮光部材を設けた筺体の開閉検知構造において、前記光電センサは投光器と受光器とを保持する断面コ字状で電子部品として機能するセンサホルダーを備え、前記遮光部材に、第２のケースによって第１のケースの開口を閉じることにより、前記センサホルダーを支持する支持部材に対向するストッパを設け、このストッパと支持部材との間隔が遮光部材と前記センサホルダーとの間隔よりも狭くしたものである。
【０００６】
請求項２に係る発明は、請求項１に係る発明において、前記遮光部材を前記第１または第２のケースに実装した実装部品に一体に設けたものである。
【発明の効果】
【０００７】
請求項１に係る発明によれば、第２のケースが押圧されたとしても、これをストッパが支承するため、遮光部材がセンサホルダーを圧接するようなことがないから、第１のケースの開口を閉じるときに誤って遮光部材によって電子部品として機能するセンサホルダーの機能を破壊するようなことがない。
【０００８】
請求項２に係る発明によれば、新たに遮光部材を設ける必要がないため、部品点数と組付工数とを増加させることなく前記目的を達成することができる。
【発明を実施するための最良の形態】
【０００９】
以下、本発明の実施の形態を図に基づいて説明する。図１は本発明に係る筺体の開閉検知構造を実施した電子機器の開口を閉じた状態を示す側断面図、図２は同じく開口を開いた状態を示す側断面図、図３は同じく開口を開いた状態を示すロアーケースの平面図、図４は同じくアッパーケースの底面図、図５は図３におけるV-V 線の拡大断面図である。
【００１０】
図１および図２に全体を符号１で示す電子機器は、上方に開口２を有する浅底状に形成された第１のケースとしてのロアーケース３と、このロアーケース３の開口２を開閉する第２のケースとして浅底状に形成されたアッパーケース４とによって筺体が形成されている。アッパーケース４は、開口２を開閉するようにロアーケース３に突設された支持板５に設けた軸６を回動中心としてロアーケース３に回動自在に支持されている。
【００１１】
７はロアーケース３の底部に一体に立設したスタッドに取り付けられたメイン電子回路基板である。８はロアーケース３の底部に一体に立設したスタッドに取り付けられた電池箱であって、後述する遮光部材２６が一体に立設されている。図３において、９は多数の端子片１０を備えたインターフェース基板である。１１はロアーケース３の略中央部に設けられた電源ユニットである。
【００１２】
１２は電源ユニット１１に隣接しロアーケース３の上部に設けられた無線モジュールであって、放熱板１３によって覆われている。１４は基軸１５に回動自在に支持されたアンテナであって、無線モジュール１２に電気的に接続されている。１６，１６はロアーケース３の底部に設けられた壁掛け用フック部であって、この壁掛け用フック部１６を壁に植設した支持ピン（いずれも図示せず）に係入させることによって電子機器１が壁に掛けられる。
【００１３】
図４において、１７はアッパーケース４の上面板に一体に立設されたスタッドに取り付けられ後述するセンサホルダー２２を支持する支持部材としてのサブ電子回路基板であって、光電センサ１８が実装されている。光電センサ１８は、図５に示すように互いに対向する一対の腕部１９，２０とこれら腕部１９，２０を連結する連結部２１とによって断面コ字状に形成された電子部品として機能するセンサホルダー２２を備えている。腕部１９，２０のそれぞれに設けた孔１９ａ，２０ａには、互いに対向する投光器２３と受光器２４とが嵌着されており、投光器２３から投光された光２５は受光器２４によって受光される。
【００１４】
遮光部材２６は、アッパーケース４の開閉によって投光器２３と受光器２４との間を進退する遮光部２７と、先端２８ａがサブ電子回路基板１７に対向するように一体に突設されたストッパ２８とを備えている。したがって、ロアーケース３の開口２が、図１に示すようにアッパーケース４によって閉じられると、遮光部材２６の遮光部２７が、図５に示すように、投光器２３と受光器２４との間に進出し、投光器２３から投光された光２５を遮断するので、受光器２４で受光することがなく、ロアーケース３の開口２が閉じられていることが検知される。
【００１５】
このとき、遮光部材２６のストッパ２８の先端２８ａとサブ電子回路基板１７との間に間隔Ｄ１が形成され、この間隔Ｄ１が遮光部２７とセンサホルダー１８の連結部２１との間の間隔Ｄ２よりも狭くなるようにストッパ２８が形成されている。このように、遮光部材２６にサブ電子回路基板１７に対向するストッパ２８が設けられ、このストッパ２８とサブ電子回路基板１７との間隔Ｄ１が遮光部２７とセンサホルダー１８の連結部２１との間隔Ｄ２よりも狭いため、アッパーケース４によってロアーケース３の開口２を閉じた際にアッパーケース４を誤ってロアーケース３側に強く押圧したとしても、最初にストッパ２８の先端２８ａにサブ電子回路基板１７が圧接することになる。
【００１６】
このため、遮光部２７がセンサホルダー２２の連結部２１に接触するようなことがないので、アッパーケース４によってロアーケース３の開口２を閉じた際に誤って遮光部２７によって電子部品として機能するセンサホルダー２２の機能を破壊するようなことがない。また、遮光部材２６をロアーケース３に実装した電池箱８に一体に設けたことにより、新たに遮光部材２６を設ける必要がないため、部品点数と組付工数とを増加させることなく上記目的を達成することができる。
【００１７】
一方、ロアーケース３の開口２が、図２に示すように開放されると、遮光部材２６の遮光部２７が投光器２３と受光器２４との間から退避するので、投光器２３から投光された光２５は受光器２４に受光され、ロアーケース３の開口２が開放されたことが検知される。
【００１８】
なお、本実施の形態においては、ロアーケース３側に遮光部材２６を設け、アッパーケース４側に光電センサ１８を設けた例を説明したが、ロアーケース３側に光電センサ１８を設け、アッパーケース４側に遮光部材２６を設けるようにしてもよい。
【図面の簡単な説明】
【００１９】
【図１】本発明に係る筺体の開閉検知構造を実施した電子機器の開口を閉じた状態を示す側断面図である。
【図２】本発明に係る筺体の開閉検知構造を実施した電子機器の開口を開いた状態を示す側断面図である。
【図３】本発明に係る筺体の開閉検知構造を実施した電子機器の開口を開いた状態を示すロアーケースの平面図である。
【図４】本発明に係る筺体の開閉検知構造を実施した電子機器のアッパーケースの底面図である。
【図５】図３におけるV-V 線の拡大断面図である。
【符号の説明】
【００２０】
１…電子機器、２…開口、３…ロアーケース（第１のケース）、４…アッパーケース（第２のケース）、８…電池箱、１７…サブ電子回路基板（支持部材）、１８…光電センサ、２２…センサホルダー、２３…投光器、２４…受光器、２５…光、２６…遮光部材、２７…遮光部、２８…ストッパ。
【図１】
2008251416.tif 000003
【図２】
2008251416.tif 000004
【図３】
2008251416.tif 000005
【図４】
2008251416.tif 000006
【図５】
2008251416.tif 000007